(57)【要約】【課題】  団体旅行や運動会等の行事やイベントの１シーンを、デジタルカメラで写真撮影し、この撮影された画像データをメモリカードに格納し、このメモリカードから画像データを読み取り、写真画像を印刷し、上記行事やイベントの参加者の多数に写真を焼き増しし、配布する際に、無駄な時間をかけさせず、また、各配布者に配布する写真の仕分け作業の負荷を軽減することができる記録装置を提供することを目的とする。【解決手段】  メモリカードに記憶している画像を選択し、上記選択画像の印刷部数を入力し、印刷指示した後に、指示された印刷ジョブの順に、連続して印刷する際に、各印刷ジョブの最終ページが記録された記録媒体を、各印刷ジョブの区切りページとして、裏面反転して排出する記録装置である。【選択図】  図１
2006327063.tif 000002
【特許請求の範囲】
【請求項１】
画像データを記憶する記憶手段と；
上記記憶手段に記憶している画像の選択と、上記選択画像の印刷部数を、ジョブ単位毎に入力するための操作手段と；
上記ジョブ単位毎に画像を記録媒体に記録する記録手段と；
上記操作手段による入力操作が終了した後に、上記記録手段でジョブ単位毎に連続して記録する際に、各ジョブの区切りとして、各ジョブの所定のページが記録された記録媒体を反転する反転手段と；
を有することを特徴とする記録装置。
【請求項２】
請求項１において、
上記操作手段によってジョブ単位毎の識別情報を入力し、
上記記録手段は、上記反転手段で反転された記録媒体の所定のページの裏面に、上記識別情報を記録することを特徴とする記録装置。
【請求項３】
請求項１または請求項２において、
上記操作手段によって、画像の選択と印刷部数の入力よりも先んじて、ジョブ単位に相当する値を入力し、
上記操作手段による画像の選択と印刷部数の入力操作を、上記値に対応する回数を繰り返すように制御する入力操作制御手段を有することを特徴とする記録装置。
【請求項４】
請求項２において、
上記識別情報が入力されないと、上記反転手段は、ジョブ単位毎の最終ページを反転し、上記記録手段は、最終ページの裏面に、区切りマークまたはジョブ番号を記録することを特徴とする記録装置。
【請求項５】
請求項２において、
上記所定のページは、各ジョブの先頭ページまたは最終ページであることを特徴とする記録装置。
【請求項６】
請求項１において、
上記操作手段によって、ジョブ単位毎に画像を記録媒体に記録するモードが選択された場合、上記反転手段は有効になることを特徴とする記録装置。
【請求項７】
記憶部に記憶された画像データを記録媒体に記録する記録装置における制御方法において、
上記記憶部に記憶している画像の選択と、上記選択画像の印刷部数を、ジョブ単位毎に入力するための入力操作工程と；
上記ジョブ単位毎に画像を記録媒体に記録する記録工程と；
上記操作工程による入力操作が終了した後に、上記記録工程でジョブ単位毎に連続して記録する際に、各ジョブの区切りとして、各ジョブの所定のページが記録された記録媒体を反転する反転工程と；
を有する制御方法。
【請求項８】
請求項７の制御方法において、
上記操作入力工程においてジョブ単位ごとの識別情報を入力すると、上記記録工程において、上記反転工程で反転された記録媒体の所定のページの裏面に、上記識別情報を記録することを特徴とする制御方法。
【請求項９】
請求項７または請求項８において、
上記操作工程において、画像の選択と印刷部数の入力よりも先んじて、ジョブ単位に相当する値を入力し、
上記操作工程による画像の選択と印刷部数の入力操作を、上記値に対応する回数を繰り返すように制御する入力操作制御工程を有することを特徴とする制御方法。
【発明の詳細な説明】
【技術分野】
【０００１】
本発明は、カードスロットを有し、メモリカード内に記憶されている画像データを直接読み取ることが可能であり、操作手段によってメモリカードに記憶されている画像を選択し、上記選択画像の印刷部数を入力することによって印刷指示を行い、上記印刷指示に基づいて、記録手段が画像を印刷する記録装置に関する。
【背景技術】
【０００２】
近年、写真画像を、デジタルデータでメモリカードに記憶するデジタルカメラが、広く普及している。当初は、デジタル画像データを取り扱うことができる機器が、パーソナルコンピュータだけであったので、写真画像を印刷するためには、写真画像データをパーソナルコンピュータに記憶するか、または、パーソナルコンピュータに写真画像が記憶されているメモリカードを接続し、デジタル画像データを読み出し、パーソナルコンピュータから記録装置に写真画像データを転送し、印刷していた。
【０００３】
しかし、デジタルカメラを持ってはいるが、パーソナルコンピュータを持っていないユーザも現れ、ホストコンピュータを介さずに、デジタルカメラで撮影した画像を、手軽に印刷することが可能である記録装置が存在している。
【０００４】
その１つとして、画像データが記憶されているメモリカードを、記録装置に接続するカードスロットを備え、メモリカードに記憶されている画像データを直接読み取り、印刷するフォトプリント機能が知られている（たとえば、特許文献１参照）。
【０００５】
上記フォトプリント機能は、ユーザのさまざまな要望に応えるために、さまざまな印刷機能を提供している。具体的には、メモリカードに記憶されている全ての画像データの一覧印刷を行うインデックス印刷機能や、一度の印刷指示操作で、複数の画像を選択し、上記各画像について印刷部数を入力し、印刷を行う複数画像をまとめて印刷する機能、また、デジタルカメラで設定したＤＰＯＦ（Ｄｉｇｉｔａｌ  Ｐｒｉｎｔ  Ｏｒｄｅｒ  Ｆｏｒｍａｔ）設定に従って、印刷を行うＤＰＯＦ印刷等がある。
【０００６】
一般によく知られているカメラの利用方法は、団体旅行や運動会等の行事やイベントの１シーンを写真におさめ、上記行事やイベントの多くの参加者に写真を焼き増しし、配布する利用方法である。また、配布する写真の種類や枚数は、写真を配布してもらいたい行事やイベントの参加者によって要望が異なる。
【０００７】
これまでのフォトプリント機能を有する記録装置において、上記状況において、写真画像を印刷する場合、所定の１人の配布者に配布すべき画像を指定し、また、その部数を指定して印刷する作業を、配布人数分繰り返す方法を採用するか、または、配布者全員のそれぞれについて各人に配布すべき画像を指定し、また、その部数を調べ、各画像について部数を合計し、全員分の必要数を、１回で印刷指示操作し、まとめて印刷する方法を採用するかのどちらかである。
【特許文献１】特開２０００−１１８０８１号公報
【発明の開示】
【発明が解決しようとする課題】
【０００８】
上記フォトプリント機能を有する記録装置を使って、複数の配布者に写真画像を印刷して配布する上記２つの方法に関して、それぞれ課題を抱えている。
【０００９】
所定の１人の配布者に配布すべき画像と、各画像の部数を指定して印刷する作業とを、配布人数分繰り返す従来の方法では、配布者全員の印刷ジョブが終わるまで、作業者が、装置の動作にほぼ拘束されるので、時間を無駄に消費するという問題がある。
【００１０】
また、配布者のそれぞれに配布すべき画像のそれぞれの部数を調べ、各画像について印刷すべき部数を合計し、全員に配布すべき全ての画像の印刷指示操作を１回でまとめて印刷する従来の方法では、装置の動作に拘束されることはないが、配布者全員の印刷ジョブが終わった後に、各配布者に配布する写真を仕分ける作業の負荷が大きいという問題がある。
【００１１】
本発明は、団体旅行や運動会等の行事やイベントの１シーンを、デジタルカメラで写真撮影し、この撮影された画像データをメモリカードに格納し、このメモリカードから画像データを読み取り、写真画像を印刷し、上記行事やイベントの参加者の多数に写真を焼き増しし、配布する際に、無駄な時間をかけさせず、また、各配布者に配布する写真の仕分け作業の負荷を軽減することができる記録装置を提供することを目的とする。
【課題を解決するための手段】
【００１２】
本発明は、画像データを記憶する記憶手段と、上記記憶手段に記憶している画像の選択と、上記選択画像の印刷部数を、ジョブ単位毎に入力するための操作手段と、上記ジョブ単位毎に画像を記録媒体に記録する記録手段と、上記操作手段による入力操作が終了後に、上記記録手段でジョブ単位毎に連続して記録する際に、各ジョブの区切りとして、各ジョブの所定のページが記録された記録媒体を反転する反転手段とを有することを特徴とする記録装置である。
【００１３】
また本発明は、記憶部に記憶された画像データを記録媒体に記録する記録装置における制御方法において、上記記憶部に記憶している画像の選択と、上記選択画像の印刷部数を、ジョブ単位毎に入力するための入力操作工程と、上記ジョブ単位毎に画像を記録媒体に記録する記録工程と、上記操作工程による入力操作が終了した後に、上記記録工程でジョブ単位毎に連続して記録する際に、各ジョブの区切りとして、各ジョブの所定のページが記録された記録媒体を反転する反転工程とを有する制御方法である。
【発明の効果】
【００１４】
本発明によれば、団体旅行や運動会等の行事やイベントの１シーンを、デジタルカメラで写真撮影し、この撮影された画像データをメモリカードに格納し、このメモリカードから画像データを読み取り、写真画像を印刷し、上記行事やイベントの参加者の多数に写真を焼き増しし、配布する際に、無駄な時間をかけさせず、また、各配布者に配布する写真の仕分け作業の負荷を軽減することができるという効果を奏する。
【発明を実施するための最良の形態】
【００１５】
発明を実施するための最良の形態は、次の実施例である。
【実施例１】
【００１６】
図１は、本発明の実施例１である記録装置１００を示すブロック図である。
【００１７】
記録装置１００は、ＣＰＵ１０と、ＲＯＭ１１と、ＲＡＭ１２と、カードスロット１３と、ＰＣインタフェース手段１４と、操作手段１５と、表示手段１６と、記録手段１７と、記録媒体表裏反転手段１８と、バス１９とを有する。
【００１８】
ＣＰＵ１０は、各種プログラムに従って記録装置１００を制御する。ＲＯＭ１１は、記録装置１００の各種制御プログラムを格納している。
【００１９】
ＲＡＭ１２は、ＲＯＭ１１内の各種制御プログラムの読み出し、装置の各種設定情報の蓄積、メモリカード内に格納されている画像データに基づいて、印刷用として記録手段に転送するために生成された印字データを蓄積等する記憶手段である。各給紙口に対し載置する記録媒体の種別を登録する給紙口載置記録媒体種別記憶手段も、ＲＡＭ１２の一例である。
【００２０】
カードスロット１３は、画像データを記憶しているメモリカードを接続し、画像データを直接読み取るものである。ＰＣインタフェース手段１４は、ＵＳＢケーブルを介してホストコンピュータと通信し、画像データをはじめとする種々のデータを送受信するためのものである。
【００２１】
操作手段１５は、記録装置１００の各種設定情報の変更やフォトプリントにおける印刷ジョブ入力操作を行う手段であり、また、手動で給紙口選択を切り替える際にも使用する手段である。表示手段１６は、記録装置１００の各種状態を通知する手段である。
【００２２】
記録手段１７は、ホストコンピュータや操作手段１５によって指示された印刷ジョブに応じて転送された画像データに基づいて、記録媒体に画像を印刷する手段である。記録媒体表裏反転手段１８は、記録媒体の表裏を反転して排出するためや、記録媒体の表裏両面に画像を形成するために、記録媒体を表裏反転するものである。バス１９は、ＣＰＵをはじめとする各種ハードウエアを相互に接続するものである。
【００２３】
図２は、記録装置１００の制御動作を示すフローチャートであり、本発明の実施例１の制御動作を示すフローチャートである。
【００２４】
実施例１は、各印刷ジョブの最終ページを印刷した記録媒体を裏面反転して排出する実施例であり、各印刷ジョブの最終ページを、各印刷ジョブの区切りページとし、記録媒体を裏面反転して排出する実施例である。これによって、ユーザは複数の印刷ジョブの区切りを容易に判別することができる。
【００２５】
まず、印刷物を配布するために、印刷物の仕分け単位毎の画像選択と、印刷部数の印刷ジョブ入力操作とを連続して行った後に、指示された印刷ジョブの順に、連続して印刷動作を行う機能（以下、「配り分けフォトプリント」と呼ぶ）を使うための印刷ジョブ入力を開始するかどうかをチェックする（Ｓ２０１）。
【００２６】
ここで、上記「配り分けフォトプリント」の印刷ジョブ入力の開始が指示されたら、まず、上記配布者に配布する写真画像を選択し、上記選択各画像の印刷部数を入力する（Ｓ２０２）。次に、１人の配布者に配布する印刷物の印刷ジョブ入力が完了したかどうかをチェックする（Ｓ２０３）。
【００２７】
ここで、上記印刷ジョブ入力が完了していなければ、Ｓ２０２の印刷ジョブ入力を継続する。しかし、上記印刷ジョブ入力が完了していれば、１人の配布者に配布する印刷物の印刷ジョブをＲＡＭ１２に記憶する（Ｓ２０４）。
【００２８】
次に、次の配布者に配布する印刷物の印刷ジョブ入力に移行するかどうかをチェックする（Ｓ２０５）。ここで、次の配布者に配布する印刷物の印刷ジョブ入力に移行するならば、Ｓ２０２に戻り、次の配布者に配布する印刷物の印刷ジョブ入力操作を行う。
【００２９】
Ｓ２０５において、次の配布者に配布する印刷物の印刷ジョブ入力に移行しなければ、全ての配布者に配布する印刷物の印刷ジョブ入力が全て完了したとし、上記印刷ジョブ入力に基づいて、記録媒体の表面に選択されている写真画像を１ページ印刷する（Ｓ２０６）。
【００３０】
次に、Ｓ２０６で印刷したページが印刷ジョブの最終ページであるかどうかをチェックする（Ｓ２０７）。上記印刷したページが印刷ジョブの最終ページでなければ、表面に選択写真画像を印刷した記録媒体を排出し、Ｓ２０６に戻り、次ページの選択写真画像印刷を行う。
【００３１】
上記印刷したページが印刷ジョブの最終ページであれば、印刷ジョブの区切りページとするために、記録媒体表裏反転手段１８によって、表面に選択写真画像が印刷されている記録媒体を裏面反転して排出する（Ｓ２０８）。
【００３２】
次に、未実行の印刷ジョブがあるかどうかをチェックする（Ｓ２０９）。未実行の印刷ジョブがあれば、Ｓ２０６に戻り、記録媒体の表面に選択写真画像の１ページ印刷を行う。Ｓ２０９において、未実行の印刷ジョブがなければ、つまり、全ての配布者に配布する印刷物の印刷ジョブが全て完了したら、終了する。
【００３３】
Ｓ２０１において「配り分けフォトプリント」の印刷ジョブ入力がなかった場合、反転処理を行わず記録媒体を排出する。つまり、「配り分けフォトプリント」の指示があった場合、記録媒体表裏反転手段１８を有効にするようにすることができる。
【実施例２】
【００３４】
図３は、本発明の実施例２の制御動作を示すフローチャートである。
【００３５】
実施例２における構成は、図１に示す記録装置１００の構成と同様である。
【００３６】
実施例２は、各印刷ジョブの最終ページの裏面に、各印刷ジョブの区切りページとし、印刷物配布先を示す情報を印刷する実施例である。これによって、ユーザは複数のジョブの区切りの判断が容易になるだけでなく、配布者も容易に判別することができるようになる。
【００３７】
まず、配り分けフォトプリントを使うための印刷ジョブ入力を開始するかどうかをチェックする（Ｓ３０１）。上記配り分けフォトプリントの印刷ジョブ入力の開始が指示されたら、まず、印刷物を配布する配布者情報（たとえば、配布者の名前等）を入力する（Ｓ３０２）。上記配布者に配布する写真画像を選択し、上記選択各画像の印刷部数を入力し（Ｓ３０３）、１人の配布者に配布する印刷物の印刷ジョブ入力が完了したかどうかをチェックする（Ｓ３０４）。
【００３８】
上記印刷ジョブ入力が完了していなければ、Ｓ３０３の印刷ジョブ入力を継続する。上記印刷ジョブ入力が完了していれば、１人の配布者に配布する印刷物の印刷ジョブをＲＡＭ１２に記憶し（Ｓ３０５）、次の配布者に配布する印刷物の印刷ジョブ入力に移行するかどうかをチェックする（Ｓ３０６）。次の配布者に配布する印刷物の印刷ジョブ入力に移行するのであれば、Ｓ３０２に戻り、次に印刷物を配布する配布者情報を入力し、Ｓ３０３で配布者に配布する印刷物の印刷ジョブ入力操作を行う。Ｓ３０６において、次の配布者に配布する印刷物の印刷ジョブ入力に移行しなければ、全ての配布者に配布する印刷物の印刷ジョブ入力が全て完了したとし、上記印刷ジョブ入力に基づいて、記録媒体の表面に、選択された写真画像を１ページ印刷する（Ｓ３０７）。
【００３９】
次に、Ｓ３０７で印刷したページが印刷ジョブの最終ページであるかどうかをチェックする（Ｓ３０８）。上記印刷したページが、印刷ジョブの最終ページでなければ、表面に選択写真画像を印刷した記録媒体を排出し、Ｓ３０７に戻り、次ページの選択写真画像印刷を行う。上記印刷したページが、印刷ジョブの最終ページであれば、印刷ジョブの区切りページ処理を行い、Ｓ３０２において入力された配布先情報が存在するかどうかをチェックし（Ｓ３０９）、上記配布先情報が存在すれば、記録媒体表裏反転手段１８が、表面に選択写真画像を印刷した記録媒体を裏面反転し、裏面に、配布者情報を印刷する（Ｓ３１０）。
【００４０】
上記配布先情報が存在しなければ、配布先情報が存在しない場合の裏面処理（裏面反転排出、裏面に区切りマーク印刷、裏面に印刷ジョブ通し番号印刷等）を行う（Ｓ３１１）。未実行の印刷ジョブがあるかどうかをチェックし（Ｓ３１２）、未実行の印刷ジョブがあれば、Ｓ３０７に戻り、記録媒体の表面に、選択写真画像の１ページを印刷する。Ｓ３１２において、未実行の印刷ジョブがなければ（全ての配布者に配布する印刷物の印刷ジョブが全て完了したら）、終了する。
【実施例３】
【００４１】
図４は、本発明の実施例３の制御動作を示すフローチャートである。
【００４２】
実施例３における構成は、図１に示す記録装置１００の構成と同様である。
【００４３】
実施例３は、印刷ジョブ入力前に、印刷物を仕分けするための印刷物仕分け数を予め入力する場合に、各印刷ジョブの最終ページの裏面に、各印刷ジョブの区切りページとし、印刷物配布先を示す情報を印刷する実施例である。これによって、たとえば印刷物仕分け数を配布人数とした場合に、配布人数分の写真画像の選択と印刷部数の入力を自動的に繰り返すことができる。
【００４４】
まず、上記「配り分けフォトプリント」を使うための印刷ジョブ入力を開始するかどうかをチェックする（Ｓ４０１）。ここで、上記「配り分けフォトプリント」の印刷ジョブ入力の開始が指示されたら、印刷ジョブ入力数カウンタＮに、印刷物を配布する配布人数を入力する（Ｓ４０２）。
【００４５】
次に、印刷物を配布する配布者情報を入力し（Ｓ４０３）、上記配布者に配布する写真画像を選択し、上記選択各画像の印刷部数を入力し（Ｓ４０４）、１人の配布者に配布する印刷物の印刷ジョブ入力が完了したかどうかをチェックする（Ｓ４０５）。上記印刷ジョブ入力が完了していなければ、Ｓ４０４の印刷ジョブ入力を継続する。上記印刷ジョブ入力が完了すれば、１人の配布者に配布する印刷物の印刷ジョブを、ＲＡＭ１２に記憶する（Ｓ４０６）。
【００４６】
次に、印刷ジョブ入力数カウンタＮの値から１を減じ（Ｓ４０７）、印刷ジョブ入力数カウンタＮが０であるかどうかをチェックする（Ｓ４０８）。カウンタＮが０でなければ、Ｓ４０３に戻り、印刷物を配布する配布者情報を入力し、Ｓ４０４で配布者に配布する印刷物の印刷ジョブ入力操作を行う。Ｓ４０８において、カウンタＮの値が０であれば、全ての配布者に配布する印刷物の印刷ジョブ入力が全て完了したとし、上記印刷ジョブ入力に基づいて、記録媒体の表面に、選択された写真画像を１ページ印刷する（Ｓ４０９）。
【００４７】
次に、Ｓ４０９で印刷したページが印刷ジョブの最終ページであるかどうかをチェックする（Ｓ４１０）。上記印刷したページが、印刷ジョブの最終ページでなければ、表面に選択写真画像を印刷した記録媒体を排出し、Ｓ４０９に戻り、次ページの選択写真画像印刷を行う。上記印刷したページが印刷ジョブの最終ページであれば、印刷ジョブの区切りページ処理を行う。
【００４８】
まず、Ｓ４０３において入力された配布先情報が存在するかどうかをチェックし（Ｓ４１１）、上記配布先情報が存在すれば、記録媒体表裏反転手段１８によって、表面に選択写真画像が印刷されている記録媒体を裏面反転し、裏面に配布者情報を印刷する（Ｓ４１２）。上記配布先情報が存在しなければ、配布先情報が存在しない場合の裏面処理（裏面反転排出、裏面に区切りマーク印刷、裏面に印刷ジョブ通し番号印刷等）を行う（Ｓ４１３）。
【００４９】
次に、未実行の印刷ジョブがあるかどうかをチェックする（Ｓ４１４）。ここで、未実行の印刷ジョブがあれば、Ｓ４０９に戻り、記録媒体の表面に選択写真画像の１ページ印刷を行う。Ｓ４１４において、未実行の印刷ジョブがなければ（つまり、全ての配布者に配布する印刷物の印刷ジョブが全て完了したら）、終了する。
【実施例４】
【００５０】
図５は、本発明の実施例４の制御動作を示すフローチャートである。
【００５１】
実施例４における構成は、図１に示す記録装置１００の構成と同様である。
【００５２】
実施例４は、各印刷ジョブの先頭ページを、各印刷ジョブの区切りページとし、記録媒体を裏面反転して排出する実施例である。
【００５３】
Ｓ５０１〜Ｓ５０５は、図２のＳ２０１〜Ｓ２０５と全く同じであるので、これらの説明を省略する。
【００５４】
Ｓ５０５において、次配布者配布分の印刷ジョブ入力に移行せず、全ての配布者に配布する印刷物の印刷ジョブ入力が完了すれば、記録媒体の表面に選択された写真画像を１ページ印刷し（Ｓ５０６）、印刷ジョブの先頭ページを、印刷ジョブの区切りページとするために、記録媒体表裏反転手段１８によって、表面に選択写真画像が印刷されている記録媒体を、裏面反転して排出する（Ｓ５０７）。
【００５５】
次に、印刷ジョブの２ページ目以降の印刷を行うために、記録媒体の表面に、選択された写真画像を１ページ印刷する（Ｓ５０８）。Ｓ５０８で印刷したページが印刷ジョブの最終ページであるかどうかをチェックし（Ｓ５０９）、上記印刷したページが印刷ジョブの最終ページでなければ、表面に選択写真画像を印刷した記録媒体を排出し、Ｓ５０８に戻り、次ページの選択写真画像印刷を行う。
【００５６】
上記印刷したページが印刷ジョブの最終ページであれば、未実行の印刷ジョブがあるかどうかをチェックする（Ｓ５１０）。未実行の印刷ジョブがあれば、Ｓ５０６に戻り、記録媒体の表面に、選択写真画像の１ページ印刷を行う。Ｓ５１０において、未実行の印刷ジョブがないければ（つまり、全ての配布者に配布する印刷物の印刷ジョブが全て完了したら）、終了する。
【実施例５】
【００５７】
図６は、本発明の実施例５の制御動作を示すフローチャートである。
【００５８】
実施例５における構成は、図１に示す記録装置１００の構成と同様である。
【００５９】
実施例５は、各印刷ジョブの先頭ページを、各印刷ジョブの区切りページとし、裏面に印刷物配布先を示す情報を印刷する実施例である。
【００６０】
Ｓ６０１〜Ｓ６０６は、図３に示すＳ３０１〜Ｓ３０６と全く同じであるので、それらの説明を省略する。
【００６１】
Ｓ６０６において、次配布者配布分の印刷ジョブ入力に移行せず、全ての配布者に配布する印刷物の印刷ジョブ入力が完了したら、記録媒体の表面に、選択された写真画像を１ページ印刷する（Ｓ６０７）。
【００６２】
次に、印刷ジョブの先頭ページを印刷ジョブの区切りページとするために、印刷ジョブの区切りページ処理を行う。Ｓ６０２において入力された配布先情報が存在するかどうかをチェックし（Ｓ６０８）、上記配布先情報が存在すれば、記録媒体表裏反転手段１８によって、表面に選択写真画像を印刷した記録媒体を裏面反転し、裏面に配布者情報を印刷する（Ｓ６０９）。上記配布先情報が存在しなければ、配布先情報が存在しない場合の裏面処理（裏面反転排出、裏面に区切りマーク印刷、裏面に印刷ジョブ通し番号印刷等）を行う（Ｓ６１０）。
【００６３】
次に、印刷ジョブの２ページ目以降の印刷を行うために、記録媒体の表面に、選択された写真画像を１ページ印刷する（Ｓ６１１）。Ｓ６１１で印刷したページが印刷ジョブの最終ページであるかどうかをチェックする（Ｓ６１２）。上記印刷したページが印刷ジョブの最終ページでなければ、表面に選択写真画像が印刷された記録媒体を排出し、Ｓ６１１に戻り、次ページの選択写真画像印刷を行う。
【００６４】
上記印刷したページが印刷ジョブの最終ページであれば、未実行の印刷ジョブがあるかどうかをチェックする（Ｓ６１３）。未実行の印刷ジョブがあれば、Ｓ６０７に戻り、記録媒体の表面に選択写真画像の１ページ印刷を行う。Ｓ６１３において、未実行の印刷ジョブがなければ（つまり、全ての配布者に配布する印刷物の印刷ジョブが全て完了したら）、終了する。
【実施例６】
【００６５】
図７は、本発明の実施例６の制御動作を示すフローチャートである。
【００６６】
実施例６における構成は、図１に示す記録装置１００の構成と同様である。
【００６７】
実施６は、印刷ジョブ入力前に予め印刷物を仕分けするための印刷物仕分け数を入力する場合、各印刷ジョブの先頭ページを、各印刷ジョブの区切りページとし、裏面に印刷物配布先を示す情報を印刷する実施例である。
【００６８】
Ｓ７０１〜Ｓ７０８は、図４に示すＳ４０１〜Ｓ４０８と全く同じであり、また、Ｓ７０９〜Ｓ７１５は、図６に示すＳ６０７〜Ｓ６１３と全く同じであるので、それらの説明を省略する。
【００６９】
上記実施例によれば、１つの排紙口しか持たない記録装置において、本来の印刷ジョブに存在しない区切りページを挿入せずに、印刷ジョブに必要な最小枚数の記録媒体を使用して、複数の印刷ジョブによる印刷物を仕分けすることができ、したがって、無駄に記録媒体を使用することを阻止することができる。
【図面の簡単な説明】
【００７０】
【図１】本発明の実施例１である記録装置１００を示すブロック図である。
【図２】記録装置１００の制御動作を示すフローチャートであり、本発明の実施例１の制御動作を示すフローチャートである。
【図３】本発明の実施例２の制御動作を示すフローチャートである。
【図４】本発明の実施例３の制御動作を示すフローチャートである。
【図５】本発明の実施例４の制御動作を示すフローチャートである。
【図６】本発明の実施例５の制御動作を示すフローチャートである。
【図７】本発明の実施例６の制御動作を示すフローチャートである。
【符号の説明】
【００７１】
１００…記録装置、
１０…ＣＰＵ、
１１…ＲＯＭ、
１２…ＲＡＭ、
１３…カードスロット、
１４…ＰＣインタフェース、
１５…操作手段、
１６…表示手段、
１７…記録手段、
１８…記録媒体表裏反転手段。
【図１】
2006327063.tif 000003
【図２】
2006327063.tif 000004
【図３】
2006327063.tif 000005
【図４】
2006327063.tif 000006
【図５】
2006327063.tif 000007
【図６】
2006327063.tif 000008
【図７】
2006327063.tif 000009